(57)【要約】  表示装置（１）は、タッチパネル（１２）の後面との間において、ボンディングよって一体化された液晶パネル（１３）と、液晶パネル（１３）の後方側に配置され、タッチパネル（１２）が取り付けられるパネル（１４）と、このパネル（１４）と、当該パネル（１４）の後方側に配置されるホルダ（１５）との間に設けられるブラケット（１７，１８）と、液晶パネル（１３）の後面から後方側に向けて突出するポスト（１３ａ）と、パネル（１４）においてポスト（１３ａ）が貫通するように形成され、ポスト（１３ａ）の外径よりも大きな孔径を有する通し孔（１４ａ）と、ブラケット（１７，１８）においてポスト（１３ａ）に締め付けられたねじ３１が貫通するように形成され、ねじ（３１）のねじ径よりも大きく、且つ、ポスト（１３ａ）の外径よりも小さい孔径を有する通し孔（１７ａ，１８ａ）とを備える。
2020049651.tif 000002
【特許請求の範囲】
【請求項１】
タッチパネルの後面との間において、ボンディングよって一体化された液晶パネルと、
前記液晶パネルの後方側に配置され、前記タッチパネルが取り付けられるパネルと、
前記パネルと、前記パネルの後方側に配置されるホルダとの間に設けられるブラケットと、
前記液晶パネルの後面から後方側に向けて突出するポストと、
前記パネルにおいて前記ポストが貫通するように形成され、前記ポストの外径よりも大きな孔径を有するパネル側通し孔と、
前記ブラケットにおいて前記ポストに締め付けられた第１ねじが貫通するように形成され、前記第１ねじのねじ径よりも大きく、且つ、前記ポストの外径よりも小さい孔径を有するブラケット側通し孔とを備える
ことを特徴とする表示装置。
【請求項２】
前記パネルに形成され、第２ねじが前記第１ねじの軸心と直交する方向から締め付けられるパネル側ねじ孔と、
前記ホルダにおいて前記パネル側ねじ孔に締め付けられた前記第２ねじが貫通するように形成され、前記第２ねじのねじ径よりも大きな孔径を有するホルダ側通し孔と、
前記ブラケットにおいて前記パネル側ねじ孔に締め付けられた前記第２ねじが貫通するように形成され、前記タッチパネル及び前記液晶パネルの厚さ方向に延びるブラケット側通し長孔とを備える
ことを特徴とする請求項１記載の表示装置。
【発明の詳細な説明】
【技術分野】
【０００１】
この発明は、タッチパネルと液晶パネルとをボンディングして一体化させた表示装置に関する。
【背景技術】
【０００２】
近年、小型情報電子機器及び車載用電子機器等の表示装置として、タッチパネルと液晶パネルとをボンディングして一体化させたものが数多く提供されている。このような構成を用いた場合には、表示装置は、タッチパネルと液晶パネルとの間の空気層を無くすことができるため、画像が綺麗に見えるという利点を有する。【０００３】
また、上述した従来の表示装置は、タッチパネルを、当該タッチパネルの後側に設けられるパネルに両面テープを介して貼り付けると共に、液晶パネルを別部材に取り付けている。このため、従来の表示装置は、タッチパネルと液晶パネルとの組み付け寸法のばらつきを、吸収することができなかった。【０００４】
このように、組み付け寸法のばらつきを吸収できないと、液晶パネルは、その組み付け寸法のばらつきに起因した負荷を受けることになる。これにより、従来の表示装置は、液晶パネルの表示不良、及び、タッチパネルと液晶パネルとの間の剥がれ等が発生するおそれがあった。【０００５】
そして、液晶パネルを別部材に取り付けるようにした表示装置としては、例えば、特許文献１に開示されている。
【先行技術文献】
【特許文献】
【０００６】
【特許文献１】特開２００９−２８２４３４号公報
【発明の概要】
【発明が解決しようとする課題】
【０００７】
特許文献１に開示された表示装置は、液晶パネルを、ねじを用いて別部品に取り付けている。このような、従来の表示装置は、その液晶パネルとタッチパネルとをボンディングして一体化させた場合には、左右方向の組み付け寸法のばらつきを吸収することができないという問題がある。【０００８】
この発明は、上記のような課題を解決するためになされたもので、タッチパネルと液晶パネルとをボンディングして一体化させる際に、左右方向の組み付け寸法のばらつきを吸収することができる表示装置を提供することを目的とする。
【課題を解決するための手段】
【０００９】
この発明に係る装置は、タッチパネルの後面との間において、ボンディングよって一体化された液晶パネルと、液晶パネルの後方側に配置され、タッチパネルが取り付けられるパネルと、パネルと、パネルの後方側に配置されるホルダとの間に設けられるブラケットと、液晶パネルの後面から後方側に向けて突出するポストと、パネルにおいてポストが貫通するように形成され、ポストの外径よりも大きな孔径を有するパネル側通し孔と、ブラケットにおいてポストに締め付けられた第１ねじが貫通するように形成され、第１ねじのねじ径よりも大きく、且つ、ポストの外径よりも小さい孔径を有するブラケット側通し孔とを備えることを特徴とするものである。
【発明の効果】
【００１０】
この発明によれば、タッチパネルと液晶パネルとをボンディングして一体化させる際に、左右方向の組み付け寸法のばらつきを吸収することができる。
【図面の簡単な説明】
【００１１】
【図１】実施の形態１に係る表示装置の外観斜視図である。
【図２】実施の形態１に係る表示装置における前方側から見た分解斜視図である
【図３】実施の形態１に係る表示装置における後方側から見た分解斜視図である。
【図４】実施の形態１に係る表示装置におけるホルダの後面側から見た背面図である。
【図５】図４のＡ−Ａ矢視断面図である。
【図６】図４のＢ−Ｂ矢視断面図である。
【発明を実施するための形態】
【００１２】
以下、この発明をより詳細に説明するために、この発明を実施するための形態について、添付の図面に従って説明する。
【００１３】
実施の形態１．
先ず、実施の形態１に係る表示装置１の全体構成について、図１から図３を用いて詳細に説明する。
【００１４】
図１は、実施の形態１に係る表示装置１の外観斜視図である。図２は、実施の形態１に係る表示装置１における前方側から見た分解斜視図である。図３は、実施の形態１に係る表示装置１における後方側から見た斜視図である。
【００１５】
表示装置１は、タッチパネル１２、液晶パネル１３、パネル１４、ホルダ１５、背面パネル１６、及び、ブラケット１７，１８を備えている。タッチパネル１２、液晶パネル１３、パネル１４、ホルダ１５、及び、背面パネル１６は、表示装置１の前面側から後面側に向けて、順に配置されている。
【００１６】
タッチパネル１２の後面と、液晶パネル１３の前面とは、ボンディングされている。このように、タッチパネル１２と液晶パネル１３とは、ボンディングによって一体化されており、モジュール１１を構成している。
【００１７】
タッチパネル１２の後面は、両面テープ２１を介して、パネル１４の前面に貼り付けられている。パネル１４は、矩形枠状をなす樹脂部材である。また、液晶パネル１３の後面は、枠状をなすパネル１４の開口部に対接している。
【００１８】
ホルダ１５は、電子部品及び基板等が取り付けられるものである。これらの電子部品及び基板は、タッチパネル１２及び液晶パネル１３を駆動させるためのものである。背面パネル１６は、表示装置１の側面及び後面を形成しており、当該表示装置１の筐体を構成するものである。ホルダ１５の前面は、パネル１４の後面に取り付けられており、当該パネル１４の後面は、背面パネル１６に内面に取り付けられている。
【００１９】
ブラケット１７，１８は、Ｌ字型板金部材である。このブラケット１７，１８は、パネル１４とホルダ１５との間に設けられている。また、詳細については後述するが、ブラケット１７，１８は、ねじ３１を用いて、液晶パネル１３に締結されている。パネル１４とホルダ１５とは、ブラケット１７，１８をその厚さ方向両側から挟み込んだ状態で、ねじ３２によって締結されている。なお、ねじ３１，３２は、第１ねじ及び第２ねじを構成するものである。
【００２０】
ここで、上述したように、表示装置１は、複数種類のブラケット１７，１８を備えている。ブラケット１７は、パネル１４の後面における上側両側部に、それぞれ１つずつ設けられている。ブラケット１８は、パネル１４の後面における下側両側部に、それぞれ１つずつ設けられている。但し、表示装置１が備えるブラケットの種類及び数量については、それに限定されるものではなく、適宜、調整可能である。
【００２１】
次に、タッチパネル１２と液晶パネル１３とをボンディングして一体化したモジュール１１の組み付け構造について、図２から図６を用いて詳細に説明する。
【００２２】
図４は、実施の形態１に係る表示装置におけるホルダの後面側から見た背面図である。図５は、図４のＡ−Ａ矢視断面図である。図６は、図４のＢ−Ｂ矢視断面図である。
【００２３】
液晶パネル１３は、複数のポスト１３ａを有している。これらのポスト１３ａは、液晶パネル１３の後面から表示装置１の後方側に向けて突出している。また、ポスト１３ａは、円筒状をなしており、その内部には、ねじ孔が表示装置１の前後方向に延びるように形成されている。ねじ３１は、そのねじ孔に対して、表示装置１の後方側から前方側に向けて締め付け可能となっている。即ち、ポスト１３ａに締め付けられたねじ３１の軸心は、表示装置１の前後方向、言い換えれば、モジュール１１の厚さ方向に延びている。
【００２４】
パネル１４は、パネル側通し孔となる複数の通し孔１４ａを有している。これらの通し孔１４ａは、パネル１４を表示装置１の前後方向において貫通する孔である。通し孔１４ａの孔径は、ポスト１３ａの外径よりも大きくなっている。即ち、通し孔１４ａは、ポスト１３ａに対して、ばか孔となっている。ポスト１３ａは、通し孔１４ａを表示装置１の前方側から後方側に向けて貫通している。更に、ポスト１３ａの端面は、通し孔１４ａよりも表示装置１の後方側に配置されている。
【００２５】
ブラケット１７は、ブラケット側通し孔となる通し孔１７ａを有している。この通し孔１７ａは、ブラケット１７を表示装置１の前後方向において貫通する孔である。通し孔１７ａの孔径は、ねじ３１のねじ径よりも大きく、且つ、ポスト１３ａの外径よりも小さくなっている。即ち、通し孔１７ａは、ねじ３１に対して、ばか孔となるものの、ポスト１３ａを貫通させない。
【００２６】
これに対して、ねじ３１は、通し孔１７ａを表示装置１の後方側から前方側に向けて貫通して、ポスト１３ａのねじ孔に締め付けられている。このとき、ねじ３１は、その頭部がブラケット１７の表面に当接して、ブラケット１７の裏面がポスト１３ａの端面に当接するまで、締め付けられる。このように、ブラケット１７は、ねじ３１を、通し孔１７ａを介して、通し孔１４ａから突出するポスト１３ａに締め付けることにより、表示装置１の前後方向において、位置決めされることになる。
【００２７】
一方、ブラケット１８は、ブラケット側通し孔となる通し孔１８ａを有している。この通し孔１８ａは、ブラケット１８を表示装置１の前後方向において貫通する孔である。通し孔１８ａの孔径は、ねじ３１のねじ径よりも大きく、且つ、ポスト１３ａの外径よりも小さくなっている。即ち、通し孔１８ａは、ねじ３１に対して、ばか孔となるものの、ポスト１３ａを貫通させない。
【００２８】
これに対して、ねじ３１は、通し孔１８ａを表示装置１の後方側から前方側に向けて貫通して、ポスト１３ａのねじ孔に締め付けられている。このとき、ねじ３１は、その頭部がブラケット１８の表面に当接して、ブラケット１８の裏面がポスト１３ａの端面に当接するまで、締め付けられる。このように、ブラケット１８は、ねじ３１を、通し孔１８ａを介して、通し孔１４ａから突出するポスト１３ａに締め付けることにより、表示装置１の前後方向において、位置決めされることになる。
【００２９】
従って、モジュール１１における左右方向の組み付け寸法に、ばらつきが発生した場合には、液晶パネル１３のポスト１３ａは、パネル１４の通し孔１４ａ内を、表示装置１の左右方向において、位置ずれすることができる。また、そのポスト１３ａに締め付けられたねじ３１は、ブラケット１７，１８の通し孔１７ａ，１８ａ内を、表示装置１の左右方向において、位置ずれすることができる。これにより、表示装置１は、モジュール１１における左右方向の組み付け寸法のばらつきを、吸収することができる。但し、モジュール１１における左右方向の組み付け寸法とは、タッチパネル１２と液晶パネル１３との間における左右方向の相対位置である。
【００３０】
更に、パネル１４は、パネル側ねじ孔となる複数のねじ孔１４ｂを有している。このねじ孔１４ｂは、表示装置１の左右方向に延びるように形成されている。ねじ３２は、そのねじ孔１４ｂに対して、表示装置１の側方側から内側に向けて締め付け可能となっている。即ち、ねじ孔１４ｂに締め付けられたねじ３２の軸心は、表示装置１の左右方向、言い換えれば、ねじ３１の軸心と直交する方向に延びている。但し、ねじ３２の軸心と直交する方向とは、ねじ３１の軸心と略直交する方向を含むものである。
【００３１】
ホルダ１５は、ホルダ側通し孔となる複数の通し孔１５ａを有している。この通し孔１５ａは、ホルダ１５を表示装置１の左右方向において貫通する孔である。通し孔１５ａの孔径は、ねじ３２のねじ径よりも大きくなっている。即ち、通し孔１５ａは、ねじ３２に対して、ばか孔となっている。
【００３２】
ブラケット１７は、ブラケット側通し長孔となる通し長孔１７ｂを有している。この通し長孔１７ｂは、ブラケット１７を表示装置１の左右方向において貫通する長孔である。具体的には、通し長孔１７ｂは、表示装置１の前後方向に延びる長孔、言い換えれば、モジュール１１の厚さ方向に延びる長孔である。通し長孔１７ｂの長さ及び幅は、ねじ３２のねじ径よりも大きくなっている。即ち、通し長孔１７ｂは、ねじ３２に対して、ばか孔となっている。
【００３３】
これに対して、ねじ３２は、通し孔１５ａ及び通し長孔１７ｂを、表示装置１の側方側から内側に向けて貫通して、ねじ孔１４ｂに締め付けられている。このとき、ねじ３２は、その頭部がホルダ１５の表面に当接して、パネル１４、ホルダ１５、及び、ブラケット１７が表示装置１の左右方向において重なり合うまで、それらを共締する。
【００３４】
一方、ブラケット１８は、ブラケット側通し長孔となる通し長孔１８ｂを有している。この通し長孔１８ｂは、ブラケット１８を表示装置１の左右方向において貫通する長孔である。具体的には、通し長孔１８ｂは、表示装置１の前後方向に延びる長孔、言い換えれば、モジュール１１の厚さ方向に延びる長孔である。通し長孔１８ｂの長さ及び幅は、ねじ３２のねじ径よりも大きくなっている。即ち、通し長孔１８ｂは、ねじ３２に対して、ばか孔となっている。
【００３５】
これに対して、ねじ３２は、通し孔１５ａ及び通し長孔１８ｂを、表示装置１の側方側から内側に向けて貫通して、ねじ孔１４ｂに締め付けられている。このとき、ねじ３２は、その頭部がホルダ１５の表面に当接して、パネル１４、ホルダ１５、及び、ブラケット１７が表示装置１の左右方向において重なり合うまで、それらを共締めする。
【００３６】
なお、上述した組み付け構造は、ねじ孔１４ｂ、通し孔１５ａ、通し長孔１７ｂ，１８ｂを、表示装置１の左右方向に貫通する孔としているが、ねじ３１の軸心と直交する方向に貫通する孔となれば、それらの孔位置を、適宜、変更しても構わない。ねじ孔１４ｂ、通し孔１５ａ、通し長孔１７ｂ，１８ｂは、例えば、表示装置１の上下方向に貫通する孔としても構わない。また、上述した組み付け構造は、ねじ孔１４ｂ、通し孔１５ａ、通し長孔１７ｂ，１８ｂを、表示装置１の前後方向に延びる長孔としているが、その通し長孔１７ｂ，１８ｂの長さ以上の内径を有しているならば、円形の通し孔としても構わない。
【００３７】
従って、モジュール１１における前後方向の組み付け寸法に、ばらつきが発生した場合には、ブラケット１７，１８の通し長孔１７ｂ，１８ｂは、パネル１４に締め付けられたねじ３２を貫通させた状態で、表示装置１の前後方向において、位置ずれすることができる。また、ホルダ１５の通し孔１５ａは、パネル１４に締め付けられたねじ３２を貫通させた状態で、表示装置１の前後方向において、位置ずれすることができる。これにより、表示装置１は、モジュール１１における前後方向の組み付け寸法のばらつきを、吸収することができる。但し、モジュール１１における前後方向の組み付け寸法とは、タッチパネル１２の前面から液晶パネル１３におけるポスト１３ａの端面までの厚さのことである。
【００３８】
以上のように、実施の形態１に係る表示装置１は、タッチパネル１２の後面との間において、ボンディングよって一体化された液晶パネル１３と、液晶パネル１３の後方側に配置され、タッチパネル１２が取り付けられるパネル１４と、このパネル１４と、当該パネル１４の後方側に配置されるホルダ１５との間に設けられるブラケット１７，１８と、液晶パネル１３の後面から後方側に向けて突出するポスト１３ａと、パネル１４においてポスト１３ａが貫通するように形成され、ポスト１３ａの外径よりも大きな孔径を有する通し孔１４ａと、ブラケット１７，１８においてポスト１３ａに締め付けられたねじ３１が貫通するように形成され、ねじ３１のねじ径よりも大きく、且つ、ポスト１３ａの外径よりも小さい孔径を有する通し孔１７ａ，１８ａとを備えている。これにより、表示装置１は、モジュール１１における左右方向の組み付け寸法のばらつきを、吸収することができる。
【００３９】
また、表示装置１は、パネル１４に形成され、ねじ３２がねじ３１の軸心と直交する方向から締め付けられるねじ孔１４ｂと、ホルダ１５においてねじ孔１４ｂに締め付けられたねじ３２が貫通するように形成され、ねじ３２のねじ径よりも大きな孔径を有する通し孔１５ａと、ブラケット１７，１８においてねじ孔１４ｂに締め付けられたねじ３２が貫通するように形成され、タッチパネル１２及び液晶パネル１３の厚さ方向に延びる通し長孔１７ｂ，１８ｂとを備えている。これにより、表示装置１は、モジュール１１における前後方向の組み付け寸法のばらつきを、吸収することができる。
【００４０】
このように、表示装置１は、モジュール１１における左右方向及び前後方向の組み付け寸法のばらつきを、吸収することができるので、液晶パネル１３に対して、その組み付け寸法のばらつきに起因した負荷がかからない。この結果、表示装置１は、液晶パネル１３におけるモアレ等の表示不良、及び、タッチパネル１２と液晶パネル１３との間に発生する剥がれを、防止することができる。
【００４１】
更に、表示装置１は、タッチパネル１２とパネル１４との間を両面テープ２１のみで貼り付けた場合であっても、タッチパネル１２と共にモジュール１１を構成する液晶パネル１３のポスト１３ａと、パネル１４とを、ブラケット１７，１８を介して、ねじ３１で締め付けているので、モジュール１１における左右方向及び前後方向の組み付け寸法のばらつきを吸収しつつ、モジュール１１を高い保持力で保持することができる。
【００４２】
そして、表示装置１は、パネル１４とホルダ１５との間にブラケット１７，１８のみを設けることにより、モジュール１１における前後方向の組み付け寸法のばらつきを吸収することができるので、パネル１４とホルダ１５とをねじ３２のみを使用して、容易に、且つ、強固に固定することができる。このとき、ねじ３２は、パネル１４、ホルダ１５、及び、ブラケット１７，１８を共締めするだけであって、液晶パネル１３に負荷をかけることはない。
【００４３】
なお、本願発明は、その発明の範囲内において、実施の形態の任意の構成要素の変形、もしくは、実施の形態の任意の構成要素の省略が可能である。
【産業上の利用可能性】
【００４４】
この発明に係る表示装置は、液晶パネルの後面から後方側に向けて突出するポストと、そのポストの外径よりも大きな孔径を有するパネル側通し孔と、第１ねじのねじ径よりも大きく、且つ、ポストの外径よりも小さい孔径を有するブラケット側通し孔とを備えることにより、タッチパネルと液晶パネルとをボンディングして一体化させる際に、左右方向の組み付け寸法のばらつきを吸収することができるので、タッチパネルと液晶パネルとをボンディングして一体化させた表示装置等に用いるのに適している。
【符号の説明】
【００４５】
１  表示装置、１１  モジュール、１２  タッチパネル、１３  液晶パネル、１３ａ  ポスト、１４  パネル、１４ａ  通し孔、１４ｂ  ねじ孔、１５  ホルダ、１５ａ  通し孔、１６  背面パネル、１７，１８  ブラケット、１７ａ，１８ａ  通し孔、１７ｂ，１８ｂ  通し長孔、２１  両面テープ、３１，３２  ねじ。
【図１】
2020049651.tif 000003
【図２】
2020049651.tif 000004
【図３】
2020049651.tif 000005
【図４】
2020049651.tif 000006
【図５】
2020049651.tif 000007
【図６】
2020049651.tif 000008
【国際調査報告】
2020049651.tif 000009
2020049651.tif 000010
2020049651.tif 000011